(57)【要約】  本発明は、紡績準備機であって、少なくとも１つの強化手段であって、当該強化手段に供給されたスライバ（４）から保護撚りを有する粗糸（３）を製造するための強化手段と、強化手段へのスライバ（４）の進入前に、スライバを延伸するためのドラフト装置であって、該ドラフト装置（５）の搬送方向（Ｔ）で強化手段に前置されている、ドラフト装置（５）と、ドラフト装置（５）に搬送方向（Ｔ）で前置された、スライバ（４）を供給する容器（７）とドラフト装置（５）との間でスライバ（４）をガイドするためのガイド（６）と、を備え、ガイド（６）は、紡績準備機（１）の運転中に容器（７）から出てくるスライバ（４）のための、ドラフト装置（５）とは反対に位置する供給区分（８）と、ドラフト装置（５）に面した、スライバ（４）のための引渡し区分（９）とを有しており、当該紡績準備機（１）は、粗糸（３）を巻管（１１）に巻き取るための巻取り装置（１０）を有しており、当該紡績準備機（１）は、空の巻管（１１）を準備し、かつ／または巻取り装置（１０）によって粗糸（３）を巻かれた巻管（１１）を導出するための巻管搬送装置（１２）を有している、紡績準備機に関する。本発明によれば、巻管搬送装置（１２）が、空の巻管（１１）および／または粗糸を巻かれた巻管（１１）を搬送するための少なくとも１つの搬送軌道（１３）を有しており、該（複数の）搬送軌道（１３）は、当該紡績準備機（１）を上から見た図において、少なくとも部分的にガイド（６）の供給区分（８）とドラフト装置（５）との間に配置されていることが提案される。
2017519911.tif 000002
【特許請求の範囲】
【請求項１】
紡績準備機であって、
−少なくとも１つの強化手段であって、当該強化手段に供給されたスライバ（４）から保護撚りを有する粗糸（３）を製造するための強化手段と、
−前記強化手段への前記スライバ（４）の進入前に、前記スライバ（４）を延伸するためのドラフト装置（５）であって、該ドラフト装置（５）の搬送方向（Ｔ）で前記強化手段に前置されている、ドラフト装置（５）と、
−前記ドラフト装置（５）に前記搬送方向（Ｔ）で前置された、前記スライバ（４）を供給する容器（７）と前記ドラフト装置（５）との間で前記スライバ（４）をガイドするためのガイド（６）と、
を備え、
−前記ガイド（６）は、当該紡績準備機（１）の運転中に前記容器（７）から出てくるスライバ（４）のための、前記ドラフト装置（５）とは反対に位置する供給区分（８）と、前記ドラフト装置（５）に面した、前記スライバ（４）のための引渡し区分（９）とを有しており、
−当該紡績準備機（１）は、前記粗糸（３）を巻管（１１）に巻き取るための巻取り装置（１０）を有しており、
−当該紡績準備機（１）は、空の巻管（１１）を準備し、かつ／または前記巻取り装置（１０）によって粗糸（３）を巻かれた巻管（１１）を導出するための巻管搬送装置（１２）を有している、紡績準備機において、
前記巻管搬送装置（１２）は、前記空の巻管（１１）および／または前記粗糸（３）を巻かれた巻管（１１）を搬送するための少なくとも１つの搬送軌道（１３）を有しており、該搬送軌道（１３）は、当該紡績準備機（１）を上から見た図において、少なくとも部分的に前記ガイド（６）の前記供給区分（８）と前記ドラフト装置（５）との間に配置されていることを特徴とする、紡績準備機。
【請求項２】
前記強化手段は、空気紡績ノズル（２）として形成されていて、前記空気紡績ノズル（２）の内部において渦空気流を用いて、前記スライバ（４）から、前記保護撚りを有する前記粗糸（３）を製造可能である、請求項１記載の紡績準備機。
【請求項３】
当該紡績準備機（１）は、巻管移動装置（１６）を有しており、該巻管移動装置（１６）は、前記巻管搬送装置（１２）から前記巻取り装置（１０）への巻管（１１）の引渡しおよび／または前記巻取り装置（１０）から前記巻管搬送装置（１２）への巻管（１１）の引渡しのために働く、請求項１または２記載の紡績準備機。
【請求項４】
前記搬送軌道（１３）は、当該紡績準備機（１）を上から見た図において、少なくとも部分的に前記ガイド（６）の前記供給区分（８）と前記引渡し区分（９）との間に、かつ／または前記ガイド（６）の前記供給区分（８）と前記巻取り装置（１０）との間に、かつ／または前記ガイド（６）の前記供給区分（８）と前記巻管移動装置（１６）との間に、かつ／または前記ガイド（６）の前記供給区分（８）と前記強化手段との間に設けられている、請求項１から３までのいずれか１項記載の紡績準備機。
【請求項５】
前記ガイド（６）は、当該紡績準備機（１）を上から見た図において、前記ガイド（６）の下方に配置された搬送軌道（１３）の上に、有利には当該紡績準備機（１）を上から見た図において、前記巻管搬送装置（１２）の、前記ガイド（６）の下方に配置された全体的な領域の上に、完全に架け渡されている、請求項１から４までのいずれか１項記載の紡績準備機。
【請求項６】
前記ガイド（６）の前記供給区分（８）、前記引渡し区分（９）および／または前記供給区分（８）と前記引渡し区分（９）との間に位置するガイド区分（１４）、および／または前記ドラフト装置（５）、および／または前記強化手段、および／または前記巻管移動装置（１６）は、当該紡績準備機（１）の側面図において、上から見た図において前記ガイド（６）の前記供給区分（８）と前記ドラフト装置（５）との間に延びる前記（複数の）搬送軌道（１３）の少なくとも一部の上方に配置されている、請求項１から５までのいずれか１項記載の紡績準備機。
【請求項７】
前記巻取り装置（１０）および／または前記巻管移動装置（１６）は、当該紡績準備機（１）を上から見た図および／または当該紡績準備機（１）の側面図において、少なくとも部分的に前記ガイド（６）の前記供給区分（８）と前記強化手段との間に、かつ／または少なくとも部分的に前記ガイド（６）の前記供給区分（８）と前記ドラフト装置（５）との間に配置されている、請求項１から６までのいずれか１項記載の紡績準備機。
【請求項８】
前記巻取り装置（１０）および／または前記巻管移動装置（１６）は少なくとも部分的に前記ガイド（６）の下方に、前記ドラフト装置（５）の下方に、かつ／または前記強化手段の下方に配置されている、請求項１から７までのいずれか１項記載の紡績準備機。
【請求項９】
前記ガイド（６）の前記供給区分（８）は、水平方向で少なくとも５０ｃｍ、有利には少なくとも１００ｃｍ、特に有利には少なくとも１５０ｃｍ、前記ドラフト装置（５）の入口ローラ（１５）から離間している、請求項１から８までのいずれか１項記載の紡績準備機。
【請求項１０】
前記ドラフト装置（５）と前記ガイド（６）、および／または前記ドラフト装置（５）と前記巻取り装置（１０）、および／または前記ドラフト装置（５）と前記巻管移動装置（１６）は、当該紡績準備機（１）の側面図において、水平方向で見て前記強化手段に対して同一の側に配置されている、請求項１から９までのいずれか１項記載の紡績準備機。
【請求項１１】
前記巻取り装置（１０）、前記巻管移動装置（１６）、前記ドラフト装置（５）、前記ガイド（６）および／または前記（複数の）搬送軌道（１３）は、当該紡績準備機（１）の正面図において、少なくとも部分的に前記強化手段の後方に配置されている、請求項１から１０までのいずれか１項記載の紡績準備機。
【請求項１２】
前記供給区分（８）は、当該紡績準備機（１）の正面図において、前記ドラフト装置（５）の後方に、前記ガイド（６）の前記引渡し区分（９）の後方に、前記巻取り装置（１０）の後方に、前記巻管移動装置（１６）の後方に、少なくとも１つの搬送軌道（１３）の後方に、かつ／または前記ガイド（６）の下方に延びる全体的な巻管搬送装置（１２）の後方に配置されている、請求項１から１１までのいずれか１項記載の紡績準備機。
【発明の詳細な説明】
【技術分野】
【０００１】
本発明は、紡績準備機であって、少なくとも１つの強化手段であって、当該強化手段に供給されたスライバから保護撚りを有する粗糸を製造するための強化手段と、強化手段へのスライバの進入前に、スライバを延伸するためのドラフト装置であって、該ドラフト装置の搬送方向で強化手段に前置されている、ドラフト装置と、ドラフト装置に搬送方向で前置された、スライバを供給する容器とドラフト装置との間でスライバをガイドするためのガイドと、を備え、ガイドは、紡績準備機の運転中に容器から出てくるスライバのための、ドラフト装置とは反対に位置する供給区分と、ドラフト装置に面した、スライバのための引渡し区分とを有しており、紡績準備機は、粗糸を巻管に巻き取るための巻取り装置を有しており、紡績準備機は、空の巻管を準備し、かつ／または巻取り装置によって粗糸を巻かれた巻管を導出するための巻管搬送装置を有している、紡績準備機紡績準備機に関する。
【０００２】
このような形式の紡績準備機は、先行技術において公知であり、いわゆる粗糸の製造のために役立つ。粗糸は、多くの場合延伸によって前処理された（たとえばダブリングされた）スライバから製造され、粗糸の個々の繊維がたとえばリング精紡機を用いて１本の糸に紡績される、後続の紡績プロセスのための供給物（Vorlage）として働く。後続処理のために必要な強度を粗糸に与えるために、供給されたスライバを粗糸の製造中にドラフト装置（該ドラフト装置は多くの場合相応の紡績準備機の一部である）を用いて延伸すること、および次いで保護撚りをかけることが、好ましいことが判明している。上に述べた強度は、巻管への巻取り時もしくは後続の紡績機への供給中における粗糸の裂断を、阻止するのに重要である。かけられた保護撚りはこのとき一方では、個々の巻取り工程もしくは繰出し工程中およびそれぞれの機械型式の間における相応の搬送工程中に、個々の繊維のまとまりが保証されるような強さでなくてはならない。他方においては、保護撚りにもかかわらず、紡績機における粗糸のさらなる処理が可能であることが、保証されねばならず、つまり粗糸は引き続きドラフト可能でなくてはならない。
【０００３】
相応の粗糸を製造するためには、過去には大抵いわゆるフライヤが使用されていたが、しかしながらフライヤの供給速度は、発生する遠心力に基づいて制限されている。ゆえに既に、フライヤを回避するまたはフライヤの代わりに別の機械型式を使用するという様々な提案がなされている。
【０００４】
特に、これに関連して既に、粗糸を空気紡績機によって製造することも提案されており、このような空気紡績機では、保護撚りは渦空気流によって生ぜしめられる。この場合基本原理は、スライバを、空気紡績ノズルとして形成された強化手段を通して案内することにあり、この強化手段内においては空気渦が生ぜしめられる。この空気渦によって最終的に、供給されたスライバの外側の繊維の一部が、いわゆる巻付き繊維として、互いにほぼ平行に延びる芯繊維から成っていて中心を延びる繊維ストランドの周りに巻き掛けられる。
【０００５】
粗糸製造のための別の方法は、独国特許出願公開第２４４７７１５号明細書（ＤＥ２４４７７１５Ａ１）において開示されている。強化されていないスライバの、この明細書に開示された強化を行う強化手段は、撚りを生ぜしめるのではなく、１つまたは複数のフィラメント糸、好ましくはモノフィラメントのフィラメント糸によるスライバの螺旋状の巻掛けを生ぜしめ、このようなフィラメント糸は、スライバをまとめ、かつスライバに強度を与える。このとき個々のフィラメント糸の螺旋は、同方向に配置されていてもまたは逆方向に配置されていてもよい。好ましくは２つのフィラメント糸が、互いに逆の回転で、もしくは互いに交差するように配置されている。従ってこのようにして生ぜしめられた粗糸はほぼ、平行に配置されたステープルファイバのスライバと、スライバを螺旋状に巻き掛けられた１つまたは複数の極細番手（feintitrig）のフィラメント糸とから成っている。
【０００６】
強化されていないスライバに１つまたは複数のフィラメント糸を巻き付けるためには、種々様々な可能性が存在している。たとえば、フィラメント糸を、小径の小さなボビンに装着することができる。次いでフィラメント糸は、位置固定のボビンから引き出され、スライバと一緒に、ボビン軸を通して引っ張られ、このときスライバにはフィラメント糸が巻き付けられ、ボビンから引き出された巻成体の数は、スライバに装着された巻条の数に相当している。また基本的には、強化されていないスライバだけがボビン軸を通して案内されるように、強化手段を構成することも可能であり、これによって巻付き工程をフィラメント糸ボビンの後に移動させることができる。このとき巻付き点は適宜な糸ガイドによって決定されることが望ましい。
【０００７】
粗糸を製造する別の方法が、国際公開第２００９／０８６６４６号（ＷＯ２００９／０８６６４６Ａ１）に開示されており、この公知の方法は以下のステップを有している：１）好ましくは撚られていない２つのスライバである、スライバを準備し、２）両方のスライバの互いに交互に現れる領域にわたってＳ撚りおよびＺ撚りをかけ、このとき各スライバにおけるＳ撚りおよびＺ撚りの領域を、撚りのない領域によって隔て、３）Ｓ撚りおよびＺ撚りを備えた両方のスライバを１つの粗糸にまとめ、このとき両方のスライバはその戻り撚り傾向に基づいて自動的に一緒に回転する。
【０００８】
Ｓ撚りおよびＺ撚りは、たとえば、使用される強化手段の２つのエレメントを用いて生ぜしめることができ、両方のエレメントは、各スライバをクランプして保持し、このとき少なくとも１つのエレメント、好ましくは両方のエレメントは、スライバに、相対運動によって該スライバの表面においてスライバ長手方向に対して横方向に、両側において交互に互いに逆向きの撚りをかける。同時に各スライバは、スライバ方向に移動させられる。しかしながらまたＳ撚りおよびＺ撚りは、エアロダイナミック式な、特に空気力式の方法を用いても生ぜしめることができる。
【０００９】
交互に現れるＳ撚りおよびＺ撚りは、さらに撚りのない変化領域によって中断される。同様にＳ撚りおよびＺ撚りを備えた両方のスライバは、最終的に、いわゆる一体化点においてまとめられる。ここにおいてスライバは自動的に一緒に回転し始め、つまりスライバは相互に絡み合う。このいわゆる確定領域（Fachen）は、個々のスライバにおけるＳ撚りおよびＺ撚りを維持するので、それ自体安定する２成分の粗糸が生じる。しかしながら基本的にこのとき注意すべきことは次のことである。すなわちこの場合、第１のスライバにおける撚りのない領域は、第２のスライバの撚りのない領域に対して長手方向においてずらされて配置されることが望ましく、このようになっていると、第１および第２のスライバの撚りのない２つの領域が、出来上がった粗糸において互いに並んで位置することがなくなる。それというのは、粗糸の強度は、主として、両方のスライバの撚りのない領域の位相位置に依存するからである。従って粗糸は、上に述べたように、強化手段を用いて常に、撚りのない領域が位相の外に位置するようにまとめられる。このようにして製造された粗糸は、最終的に、撚りをかけられていないスライバに比べて高い強度を有しており、この強度は、結局、粗糸をミスドラフト（Fehlverzuege）なしにボビンに巻き取るのにかつボビンから再び繰り出すのに十分である。
【００１０】
概して、相応する紡績準備機では、必要なスペース需要をできるだけ小さく維持するという要求が常に生じている。この場合、それにも拘わらず、紡績準備機には良好にアクセス可能であることが望ましく、これにより、特に修理作業および調節作業もしくは必要となるエラー解消措置を粗糸製造における不都合な停止後に実施することができる。
【００１１】
ゆえに本発明の課題は、上記に関して有利な形式で公知の先行技術とは異なる紡績準備機を提供することにある。
【００１２】
この課題は、独立請求項に記載の特徴を備えた紡績準備機により解決される。
【００１３】
本発明によれば、その強化手段が有利には空気紡績ノズルとして形成されており、上述の空気紡績法により作動する紡績準備機は、巻管搬送装置が、空の巻管および／または粗糸を巻かれた巻管を搬送するための（たとえば搬送ベルトとして形成された）少なくとも１つの搬送軌道を有しており、（複数の）搬送軌道が、当該紡績準備機を上から見た図において、少なくとも部分的に、スライバのためのガイドの供給区分と、ドラフト装置との間に配置されていることにより優れている。
【００１４】
たとえば紡績準備機を収容する屋内の屋内床上に位置固定された巻管搬送装置の（複数の）搬送軌道は、たとえば複数の巻管保持部を含んでいてよい。巻管保持部は、それぞれ１つの空の巻管または紡績準備機を用いて粗糸を巻かれた巻管を収容するために働く。巻管保持部は、たとえば、（複数の）搬送軌道の運動により、紡績準備機と、空管または粗糸を巻かれた巻管のための１つまたは複数の集合スペースとの間で運動可能であるので、紡績準備機は、常に空の巻管を供給されることができ、かつ巻かれた巻管は紡績準備機から搬出され得る。
【００１５】
上述の巻管は、紡績準備機を上から見た図において、（複数の）搬送軌道を用いて、供給区分とドラフト装置との間を通ってガイドされるので、供給区分とドラフト装置との間に存在するスペースが有利な形式で（複数の）搬送軌道を部分的に収容するために利用される。スライバのためのガイドは、有利にはレールを含んでいる。このレール上にスライバが載置し、これにより鉛直方向の支持を得る。たとえば、レールを、たとえば金属またはプラスチックから成る細長い異形材により形成することが考えられる。この異形材は、水平方向または水平に対して僅かに傾斜した方向で、ガイドの供給区分と引渡し区分との間に延びている。供給区分と引渡し区分とは、有利にはガイドのそれぞれ１つの端部区分を形成する。この場合、供給区分は、容器の領域に（有利には容器の上方に）に配置され、引渡し区分はドラフト装置の近傍に配置されていることが望ましい。特に、引渡し区分は、ドラフト装置の入口ローラの直ぐ近傍に位置していることが望ましい。これにより、ガイドとドラフト装置との間のできるだけスムーズな移行を可能にすることができる。概して、供給区分が、引渡し区分よりも高く位置決めされているとさらに有利であり、これにより、ガイドは、スライバのための滑り台を形成する。特にガイドは、（複数の）搬送軌道に対して直交する垂直方向に延びていると有利である。
【００１６】
ここでさらに全般的なことについて述べておくと、上述の強化手段が種々異なって形成されていてよい。たとえば、粗糸を、前記印刷物、国際公開第２００９／０８６６４６号（ＷＯ２００９／０８６６４６Ａ１）および独国特許出願公開第２４４７７１５号明細書（ＤＥ２４４７７１５Ａ１）に記載されているように製造するのに適した強化手段を使用することが可能である。
【００１７】
しかしながら好ましくは、紡績準備機は空気紡績機として形成され、強化手段は、空気紡績ノズルとして形成されており、この空気紡績ノズルによって、粗糸の保護撚りが、上において述べたように、渦空気流を用いて生ぜしめられる（空気紡績機として形成された相応の紡績準備機の一部が、図面に例として記載されている）。
【００１８】
最終的に述べておくと、本発明に係る紡績準備機は、それぞれドラフト装置、ガイド、（たとえば上述の空気紡績ノズルとして形成された）強化手段および巻取り装置を有する複数のユニットを含んでいてよく、この場合、搬送軌道は、一列に配置されたドラフト装置と、有利には互いに対して平行に延びているガイドの同様に一列に配置された供給区分との間に延びていることが望ましい。
【００１９】
同様に、紡績準備機が、巻管移動装置を有していると有利であり、巻管移動装置は、巻管搬送装置から巻取り装置への巻管の引き渡し、および／または巻取り装置から巻管搬送装置への巻管の引き渡しのために働く。巻管移動装置は、たとえば巻管グリッパを有していてよい。巻管グリッパは、紡績準備機の制御装置に接続しており、巻成された巻管を巻取り装置から搬送軌道上へ、かつ空管を搬送軌道から巻取り装置内または巻取り装置上に移動し、有利には持ち上げるために形成されている。
【００２０】
さらに、（複数の）搬送軌道が、紡績準備機を上から見た図において、少なくとも部分的にガイドの供給区分と引渡し区分との間に延びていると有利である。スライバは、この場合、搬送軌道の通過時に、少なくとも鉛直方向でガイドにより支持されるので、スライバと、有利にはガイドの下方に延びる（複数の）搬送軌道もしくは（複数の）搬送軌道上に位置する巻管と間の衝突は回避される。特に、（複数の）搬送軌道が、上述の上から見た図において、ガイドの供給区分と巻取り装置との間に、かつ／またはガイドの供給区分と巻管移動装置との間に延びていると有利である。この場合、供給区分が、上述の上から見た図において、ガイドに対して有利には直交する垂直方向に延びる（複数の）搬送軌道の一方の側に延びているのに対して、巻取り装置および／または巻管移動装置は、（複数の）搬送軌道の他方の側に位置している。最終的には同様に、搬送軌道が、紡績準備機を上から見た図において、ガイドの供給区分と強化手段との間に延びていると有利である。この場合、強化手段は、（複数の）搬送軌道に関して、有利にはガイドの引渡し区分、巻取り装置および／または巻管移動装置と同一の側に位置している。
【００２１】
同様に、ガイドが、紡績準備機を上から見た図において、ガイドの下方に配置された（複数の）搬送軌道の上に、有利には、巻管搬送装置の、上述の上面図においてガイドの下方に配置された全体的な領域の上に、完全に架け渡されていると有利である。ガイドは、この場合、ブリッジエレメントとして形成されており、これによりスライバは、ガイドにより支持されて（複数の）搬送軌道ならびに該（複数の）搬送軌道上でガイドされている巻管の上方でガイドされるので、この領域において本来存在しているフリースペースがスライバの搬送のために利用され得る。ガイドは、通常、１つまたは複数のフレームを有していてよい。このフレームによって、ガイドは屋内床に対して、または紡績準備機の支持区分に対して支持されている。この場合、１つまたは複数のフレームは、紡績準備機を上から見た図において、有利には（複数の）搬送軌道の側方に位置している。
【００２２】
ガイドの供給区分、引渡し区分および／または供給区分と引渡し区分との間に位置するガイド区分は、紡績準備機の側面図において、上から見た図においてガイドの供給区分とドラフト装置との間に延びる（複数の）搬送軌道の少なくとも一部の上方に配置されていると有利である。この場合、（複数の）搬送軌道と、ガイドの上述の区分のうちの１つまたは複数の区分との間の鉛直方向の間隔は、有利には３０ｃｍよりも大きく、有利には４０ｃｍよりも大きく、特に有利には５０ｃｍよりも大きい。これにより、ガイドと、ガイドの下方で搬送される巻管との衝突を排除することができる。最終的には、ガイドの供給区分、引渡し区分および／または供給区分と引渡し区分との間に位置しているガイド区分も、紡績準備機の上述の側面図において、ドラフト装置および／または強化手段および／または巻管移動装置の少なくとも一部の上方に配置されていると有利である。
【００２３】
同様に、巻取り装置および／または巻管移動装置が、紡績準備機を上から見た図および／または側面図において、少なくとも部分的にガイドの供給区分と強化手段との間に配置されていると有利である。この場合、強化手段は、紡績準備機の前方の端面側の端部区分の領域に配置されていてよく、これに対して供給区分は、後方の端面側の第２の端部区分の領域に位置していてよい。この場合、上述の端部区分は、（複数の）搬送軌道の互いに反対に位置している側に位置決めされていることが望ましい。最終的には、巻取り装置および／または巻管移動装置が、上述の上から見た図および／または側面図において、少なくとも部分的に、ガイドの供給区分と、ドラフト装置との間に配置されていることも考えられる。紡績準備機のための使用可能な設置スペースの余すことのない利用は、この場合、特に効果的に利用され得る。紡績準備機の個別の構成要素には、引き続き良好にアクセス可能である。
【００２４】
巻取り装置および／または巻管移動装置が、少なくとも部分的にガイドの下方に、ドラフト装置の下方に、かつ／または強化手段の下方に配置されていると特に有利である。したがって紡績準備機の側面図では、ガイドだけでなく、有利には強化手段も、巻取り装置と、特にほぼ同一の高さに位置している巻管移動装置との上方に配置されている。スライバはこの場合、ガイド上で水平方向に、または斜め下方に向かってドラフト装置内へとガイドされる。ドラフト装置から、スライバは、有利には斜め下方に向かって強化手段内に到達する。強化手段においてスライバから製造された粗糸は、最終的に（有利には紡績準備機を支持する屋内床の床近くに位置している）巻取り装置により巻管上に巻き取られる。巻管は、最終的に巻管移動装置によって、同様に床近くに位置する巻管搬送装置に引き渡される。
【００２５】
ガイドの供給区分が、水平方向で少なくとも５０ｃｍ、有利には少なくとも１００ｃｍ、特に有利には少なくとも１５０ｃｍだけドラフト装置の入口ローラから離間していると有利である。ドラフト装置は、有利には複数のドラフト装置ローラ配列を含んでおり、このドラフト装置ローラ配列は、それぞれ１つのローラと、少なくとも１つの対向ローラを含んでいる。これにより、スライバを、ローラと、対応する対向ローラとの間に挟んでガイドすることができる。入口ローラ（つまりドラフト装置の、ガイドの引渡し区分に最も近いローラ）のうちの一方と、供給区分との間の間隔が、上述の数値に相応して寸法設計されている場合、（複数の）搬送軌道は、（紡績準備機を上から見た図において）問題なしに供給区分と入口ローラとの間に延びていることができる。
【００２６】
ドラフト装置とガイドおよび／またはドラフト装置と巻取り装置および／またはドラフト装置と巻管移動装置とが、紡績準備機の側面図において、水平方向で見て強化手段の同一の側に配置されていると特に有利である。強化手段は、有利には上述の側面図において水平方向で見て、（複数の）搬送軌道に対して最も大きな間隔を有している。強化手段を出たあとに、粗糸は有利には水平方向に関して巻取り装置および／または巻管搬送装置の方向へと変向されて、この場合に、少なくとも水平方向で、ガイドの領域においてガイドされるスライバの搬送方向とは反対方向に走行する。
【００２７】
同様に、巻取り装置、巻管移動装置、ドラフト装置、ガイドおよび／または（複数の）搬送軌道が、紡績準備機の正面図において、少なくとも部分的に強化手段の背後に配置されていると有利である。特に（強化手段を除く）上述のユニット全体が、強化手段の背後に位置していると、この強化手段には前方から容易にアクセス可能である。強化手段に残っている繊維残留物は、粗糸製造の不都合な中断後に、強化手段から容易に取り除かれ得る。さらに、（複数の）搬送軌道が、上述の正面図において、強化手段、巻取り装置および巻管移動装置の背後に延びていると有利であり、これにより（複数の）搬送軌道には後方からアクセス可能である。
【００２８】
供給区分が、紡績準備機の正面図において、ドラフト装置の背後に、ガイドの引渡し区分の背後に、巻取り装置の背後に、巻管移動装置の背後に、少なくとも１つの搬送軌道の背後に、かつ／またはガイドの下方に延びる全体的な巻管搬送装置の背後に配置されていると特に有利である。供給区分には、この場合、後方から容易にアクセス可能であり、これによりスライバは問題なしにスライバを供給する容器から取出し可能かつガイドへと供給可能である。
【００２９】
本発明の別の利点は以下の実施の形態において説明される。
【図面の簡単な説明】
【００３０】
【図１】本発明に係る紡績準備機の側面図である。
【図２】本発明に係る紡績準備機を上から見た図である。
【００３１】
図１は、屋内床２０上に置かれた、粗糸３を製造するのに役立つ空気紡績機として形成された本発明に係る紡績準備機１の概略的な側面図を示している。紡績準備機１は有利には、対応する複数のドラフト装置ローラ（ドラフト装置５の入口領域に配置された両入口ローラ１５のうちの一方にのみ符号が付けられている）を備えたドラフト装置５を有しており、このドラフト装置５には、たとえばダブリングされた練条スライバ（Streckenband）として形成されたスライバ４が供給される。
【００３２】
スライバ４は、通常、容器７（たとえば紡績ケンス）から出て、有利にはガイドローラ２１の通過後にガイド６を介してドラフト装置５に供給される。この場合、ガイド６は、たとえば細長い異形材として形成されていてよい。ガイド６は、原則的には、容器７に隣接した供給区分８と、ドラフト装置５に隣接した引渡し区分９と、供給区分８と引渡し区分９との間に位置するガイド区分１４とを有しており、これによりスライバ４を少なくとも下方に向かって支持することができる。
【００３３】
図示された紡績準備機１は、ドラフト装置５から離間した空気紡績ノズル２として形成された強化手段をさらに有しており、この強化手段は、従来技術に基づいて公知の、ゆえに図示しない内部に位置する渦流室と、同様に従来技術に基づいて公知の、ゆえに図示しない、渦流室内に進入する中空スピンドルとして形成された糸形成エレメントとを備えている。渦流室内において、スライバ４もしくはスライバ４の繊維の少なくとも一部には、渦流室内で空気紡績ノズル２により生ぜしめられた渦空気流によって保護撚りがかけられる。
【００３４】
紡績準備機１は、さらに、図示された搬送方向Ｔでドラフト装置５に後置された、好ましくは２つの引出しローラを備えた、粗糸３用の引出しユニットを有することができる（引出しユニットは必ずしも必要ではなく、ゆえに図面には示されていない）。さらに巻取り装置１０が設けられており、該巻取り装置１０は、有利には少なくとも２つの巻管１１を収容するために働き、該巻取り装置１０によって粗糸３は巻管１１に巻取り可能である。この場合、粗糸３は、図１に示された二方向矢印の方向で往復移動可能な綾振りユニット１８によりガイドされる。巻取り装置１０は特に、駆動装置により回転可能なプラットホーム１７を有していてよく、このプラットホーム１７上に、巻管１１が相応の保持装置（図示せず）を介して位置固定され得る。この場合、保持装置、ひいては各巻管１１は、有利には別個の駆動装置を介して、回転運動させられ得る。
【００３５】
図示された、例示的に空気紡績機として形成された紡績準備機１は、特殊な空気紡績法によって作動する。粗糸３を形成するために、スライバ４は搬送方向Ｔにおいて、走入開口（図示せず）を介して空気紡績ノズル２の渦流室に導入される。この渦流室においてスライバ４は、保護撚りをかけられ、つまりスライバ４の繊維の少なくとも一部が、相応に配置された紡績空気通路によって生ぜしめられる上述の渦空気流によって捕捉される。このとき繊維の一部は、スライバ４から少なくともある程度長く引き出され、渦流室内に進入する糸形成エレメントの先端に巻き付けられる。
【００３６】
最終的にスライバ４の繊維は、糸形成エレメントの入口開口と、糸形成エレメントの内部に配置され、入口開口に接続する引出し通路とを介して、渦流室から引き出される。このとき最終的に、自由な繊維端部もまた螺旋軌道に沿って入口開口に向かって引っ張られ、このとき中心において延びる芯繊維の周りに巻付き繊維として巻き掛けられ、その結果所望の保護撚りを有する粗糸３が形成される。
【００３７】
粗糸３は、繊維の単に部分的なだけの撚りによって、たとえばリング精紡機のような後続の紡績機における粗糸３のさらなる処理のために必要なドラフト可能性を有している。汎用の空気紡績装置は、これとは異なり、スライバ４に、糸製造に続く必要なドラフトがもはや不可能であるような強い撚りをかける。これはこの場合望まれていることでもある。それというのは、汎用の空気紡績機は、通常高い強度によって傑出することが望ましい完成した糸を製造するように設計されているからである。
【００３８】
上述したように、粗糸３は、空気紡績ノズル２を出た後に、巻取り装置１０により巻管１１に巻き取られる。対応する巻管１１に十分に粗糸３が巻かれると、空管１１との交換が行われる。このためには、上述のプラットホーム１７が、図１に図示された空の巻管１１が図１に示された粗糸３を巻かれた巻管１１の位置に位置するまで、かつ粗糸３を巻かれた巻管１１が空の巻管１１の位置に位置するまで、有利には鉛直方向の回転軸線を中心として回転させられる。
【００３９】
この巻管交換に続いて、空の巻管１１に粗糸３が巻かれている間に、巻管移動装置１６が作動され、この巻管移動装置１６は、粗糸３を巻かれた巻管１１を、巻管搬送装置１２の（たとえば搬送ベルトとして形成された）搬送軌道１３に引き渡す。この巻管搬送装置１２は、巻管１１を最終的に取出し箇所（図示せず）に搬送する。複数存在していてよい搬送軌道１３のうちの対応する搬送軌道１３は、有利には複数の巻管保持部１９を有している。この巻管保持部１９によって、巻管１１はその搬送中に保持され得る。粗糸３を巻かれた巻管１１を搬出した後に、巻取り装置１０のプラットホーム１７上の、これにより空けられた位置には、新しい空の巻管１１が装填され得る。この場合に、装填は有利には同様に巻管移動装置１６によって行われる。
【００４０】
択一的には、巻管移動装置１６は、当然ながら省略されてもよい。同様に、巻取り装置１０も巻管１１のための保持装置しか有していなくてもよい。
【００４１】
ここで本発明によれば、（複数の）搬送軌道１３は、図２に示された、紡績準備機１を上から見た図において、少なくとも部分的にガイド６の供給区分８とドラフト装置５との間に配置されている。この場合特に、（複数の）搬送軌道１３は、上述の屋内床２０の領域に支持されていることが望ましく、これにより、搬送軌道１３は、紡績準備機１の図１に示された側面図において、ガイド６の下方に位置している。
【００４２】
さらに、（複数の）搬送軌道１３が、ガイド６の供給区分８もしくは容器７と、ガイド６の引渡し区分９との間に配置されていると有利であり、この場合ガイド６は、（複数の）搬送軌道１３の上にブリッジ状に架け渡されている。スライバ４は、この場合、後方から（複数の）搬送軌道１３を越えてガイドされ、最終的に紡績準備機１の前方の領域において、ドラフト装置５にかつ最終的には空気紡績ノズル２内に到達する。
【００４３】
図２に示したように、巻取り装置１０、綾振りユニット１８および巻管移動装置１６は、ドラフト装置５もしくは空気紡績ノズル２の側方に配置されていてよい。この場合、個別のエレメントの特に省スペースな配置が生じる。
【００４４】
さらにドラフト装置５、空気紡績ノズル２およびガイド６も、巻取り装置１０、綾振りユニット１８、巻管移動装置１６および／または（複数の）搬送軌道１３の上方に位置決めされていることが望ましく、これにより、後者のエレメントの上方のフリースペースを余すことなく利用することができる。
【００４５】
最終的に、個別の区分（供給区分８、ガイド区分１４，引渡し区分９、ドラフト装置５、空気紡績ノズル２、綾振りユニット１８、巻取り装置１０、巻管移動装置１６、（複数の）搬送軌道１３）の可能な相互の配置に関して、上述の説明が参照されるので、図面に示した相互の配置は単に例示的なものであると理解され得る。
【００４６】
本発明は、図示および記載の実施形態に制限されるものではない。特許請求の範囲における請求項の枠内における変化態様が、それが記載もしくは請求項の異なった部分にまたは異なった実施形態において図示および記載されていたとしても、記載した特徴の任意の組合せと同様に可能である。
【符号の説明】
【００４７】
１  紡績準備機
２  空気紡績ノズル
３  粗糸
４  スライバ
５  ドラフト装置
６  ガイド
７  容器
８  供給区分
９  引渡し区分
１０  巻取り装置
１１  巻管
１２  巻管搬送装置
１３  搬送軌道
１４  ガイド区分
１５  入口ローラ
１６  巻管移動装置
１７  プラットホーム
１８  綾振りユニット
１９  巻管保持部
２０  屋内床
２１  ガイドローラ
Ｔ  搬送方向
【図１】
2017519911.tif 000003
【図２】
2017519911.tif 000004
【国際調査報告】
2017519911.tif 000005
2017519911.tif 000006
2017519911.tif 000007
2017519911.tif 000008
2017519911.tif 000009
2017519911.tif 000010